(57)【要約】【課題】本発明は、高圧空気を噴射する蓄圧ブロー乾燥に関するもので、乾燥機能を使用している時のトイレ空間の低騒音化を実現する。【解決手段】加圧供給手段２１を洗浄便座本体１５とは別に設けたケース１９内に収納した。このケース１９は遮音効果が大きい容器であり、この容器内に騒音源を収納することができるため、乾燥機能使用時の高圧空気の発生時の大幅な騒音低減が図られ快適なトイレ空間を創出できる。【選択図】図４
2006316623.tif 000002
【特許請求の範囲】
【請求項１】
上流端を加圧供給手段とし接続手段を介して順次蓄圧手段、乾燥ノズルを連通してなる空気噴射手段と、前記加圧供給手段を駆動し制御する制御部とを備え、前記加圧供給手段を洗浄便座本体とは別に設けたケース内に収納し、前記加圧供給手段により高圧の気体を乾燥ノズルから噴射させる乾燥機能付き洗浄便座。
【請求項２】
ケース内に加圧供給手段をバネで吊り下げ支持する防振機構にてなる騒音低減手段を設けた請求項１項記載の乾燥機能付き洗浄便座。
【請求項３】
ケース内壁に吸音材を設けた吸音処理や二重壁の遮音構造さらにケース内に加圧供給手段をバネで吊り下げ支持する防振機構にてなる騒音低減手段を設けた請求項１項記載の乾燥機能付き洗浄便座。
【発明の詳細な説明】
【技術分野】
【０００１】
本発明は、高圧の気体を乾燥ノズルから噴射させる乾燥機能付き洗浄便座に関するものである。
【背景技術】
【０００２】
従来、用便後に洗浄を行うことで濡れた状態となった肛門部の乾燥を行うこの種の温水洗浄便座としては例えば図９に示すように、電気ヒータで加熱した温風を臀部に当てて乾燥するものが通常である。
【０００３】
同図において１は便器、２は洗浄装置（図示せず）及び便器１内に突出して人体３の肛門部４洗浄を行う洗浄ノズル５を内蔵する温水洗浄便座本体であり、本体２には便座６と便蓋７が回転自在に取付けられた構成となっている。また、８は本体２に内蔵される乾燥装置で、送風機９、加熱ヒータ１０、送風ダクト１１から構成されている。
【０００４】
そして上記構成において便器１内でモータ等により肛門部下方に位置するように本体２内から突出された洗浄ノズル５によって洗浄した後、乾燥スイッチ（図示せず）の投入により加熱ヒータ１０に通電されるとともに送風機９が駆動され、温風が人体の後方から矢印Ａに示すように供給され、肛門部を乾燥するようになっていた。
【発明の開示】
【発明が解決しようとする課題】
【０００５】
しかしながら、従来の温風乾燥の構成では、肛門部洗浄後の水滴が肛門部周囲の皮膚等に付着した状態に対して、臀部後方の本体に配設された送風ダクトから吹出される４０℃前後の温風を当てて乾燥を行う方式であるが、温風が矢印Ａに示すように座位状態の臀部後方の固定位置から吹き出され、臀部表面をなでるように流れ肛門部には直接あたらないため、付着水分を乾燥させるのに要する時間が非常に長くなり、又、使用時の単調感に対して使用者がいらいらしたり苦痛を感じるといった課題があった。また、皮膚表面の水分が多いままで無理に温度を上げ水分を蒸発させて乾燥を行うため、皮膚が過乾燥状態となり、皮膚のかゆみ、かぶれ等が生じるといった課題も見受けられる。
【０００６】
本発明は、従来の課題を解決するもので、高圧空気を噴射孔から噴射させる蓄圧ブローにより、肛門部周囲の水滴を除去し短時間に乾燥ができる洗浄便座を提供すると共に空気噴射手段の低騒音化を実現することを目的とする。
【課題を解決するための手段】
【０００７】
従来の課題を解決するために、本発明の乾燥機能付き洗浄便座は、上流端を加圧供給手段とし接続手段を介して順次蓄圧手段、乾燥ノズルを連通してなる空気噴射手段と、前記加圧供給手段を駆動し制御する制御部とを備え、前記加圧供給手段を洗浄便座本体とは別に設けたケース内に収納し、前記加圧供給手段により高圧の気体を乾燥ノズルから噴射させるものである。
【０００８】
これにより、加圧供給手段、蓄圧手段によって乾燥ノズルから高圧空気が噴射され、肛門部および周囲の臀部に付着した水分を短時間で吹飛ばすことができ、乾燥を確実に行うと共に時間を大幅に短縮することができるとともに、騒音がうるさいピストンポンプのような加圧供給手段でも、その加圧供給手段を洗浄便座本体とは別に設けたケース内に収納しているため、発生する騒音は一部外部へ放出されるが、ほとんどはケースで遮音されたりケース内部で反射を繰返して熱エネルギーへ変換されるため、騒音を大幅に低減するこ
とができる。
【発明の効果】
【０００９】
本発明によれば、加圧供給手段、蓄圧手段によって乾燥ノズルから高圧空気が噴射され、肛門部および周囲の臀部に付着した水分を短時間で吹飛ばすことができ、乾燥を確実に行うと共に時間を大幅に短縮することができるとともに、騒音がうるさいピストンポンプのような加圧供給手段でも、その加圧供給手段を洗浄便座本体とは別に設けたケース内に収納しているため、発生する騒音は一部外部へ放出されるが、ほとんどはケースで遮音されたりケース内部で反射を繰返して熱エネルギーへ変換されるため、騒音を大幅に低減することができる。
【発明を実施するための最良の形態】
【００１０】
第１の発明は、上流端を加圧供給手段とし接続手段を介して順次蓄圧手段、乾燥ノズルを連通してなる空気噴射手段と、前記加圧供給手段を駆動し制御する制御部とを備え、前記加圧供給手段を洗浄便座本体とは別に設けたケース内に収納し、前記加圧供給手段により高圧の気体を乾燥ノズルから噴射させる乾燥機能付き洗浄便座の構成にしたことにより、加圧供給手段、蓄圧手段によって乾燥ノズルから高圧空気が噴射され、肛門部および周囲の臀部に付着した水分を短時間で吹飛ばすことができ、乾燥を確実に行うと共に時間を大幅に短縮することができるとともに、騒音がうるさいピストンポンプのような加圧供給手段でも、その加圧供給手段を洗浄便座本体とは別に設けたケース内に収納しているため、発生する騒音は一部外部へ放出されるが、ほとんどはケースで遮音されたりケース内部で反射を繰返して熱エネルギーへ変換されるため、騒音を大幅に低減することができる。
【００１１】
第２の発明は、ケース内壁に騒音低減手段を設けたことにより、加圧供給手段等から発生する騒音や振動が抑制され、ケースからトイレ空間へ放射される騒音がさらに低減される。
【００１２】
第３の発明は、空気噴射手段に消音手段を設けたことにより、例えば加圧供給手段の吸気口や吐出口に消音手段を設けることによって、吸気口から直接外へ放出される音のエネルギーを消音手段で一旦減衰させて放出すことができるため、より低騒音化を実現することができる。
【００１３】
以下、本発明の実施の形態について図面を用いて説明する。
【００１４】
（実施の形態１）
図１は本発明の第１の実施の形態における乾燥機能付き洗浄便座のトイレ空間設置状態を示すものである。
【００１５】
図１において、１２はトイレ空間１３内に設置された洋風の便器で後方に水タンク１４を有しており、１５は洗浄便座本体であり、この洗浄便座本体１５には使用者が座って用を足す便座１６、非使用時の便座１６を覆う便蓋１７が回動自在に設置してある。また、便器１２横には空気噴射手段１８の一部であるケース１９が設置され、吸気口２０を有するケース１９内部には図２で示すように加圧供給手段２１と蓄圧手段２２と開閉手段２３を耐圧チューブ等の接続手段２４で連通した流路と加圧供給手段２１と開閉手段２３を運転制御する制御部２５が収納され、ケース１９外部で流路下流端として乾燥ノズル２６が接続されている。また洗浄便座本体１５内には用便後の肛門部を洗浄するための洗浄ノズル２７を有した洗浄水供給手段２８と、温風ダクト２９内にファン３０とヒータ３１を有した温風供給手段３２と、洗浄ノズル２６を駆動する駆動機構部３３と、洗浄水供給手段２８と駆動機構部３３の運転制御を行う本体制御部３４等が設けられている。空気噴射手段１８を構成する加圧供給手段２１としては小型で高い圧力が得られるピストンポンプや
その他エアポンプで、蓄圧手段２２として樹脂や金属で形成され、能力に応じて容積が異なるタンク、開閉手段２３としては電気的に開閉動作を行う電磁弁や機械的に開閉動作を生じる開閉弁機構等がある。この洗浄便座本体１５が行う洗浄、温風乾燥、脱臭等の動作の入り切りやさまざまな設定は外部に設けたリモートコントローラ（以下リモコン）３５を使用者が操作することでなされる構成となっている。
【００１６】
以上のように構成された乾燥機能付き洗浄便座について、以下その動作、作用を説明する。使用者が用便後、リモコン３５上の洗浄スイッチを押すと洗浄用の駆動機構部３３が駆動され本体１５内より洗浄ノズル２７が便器１２内の所定位置に送り出され洗浄水が所定の条件で噴出し肛門部の洗浄が行われる。この洗浄動作の途中で使用者が洗浄を終了するためにリモコン３５上の停止スイッチまたは温風乾燥スイッチを操作すると洗浄動作が停止し、洗浄ノズル２７は駆動機構部３３により本体１５内へ収納され、温風乾燥スイッチを押した場合は温風供給手段３２が運転され温風ダクト２９より温風が臀部に供給される。また使用者は同時に便器１２横のケース１９に取付けられている乾燥ノズル２６をケース１９より取り外し乾燥が必要な位置に噴射孔３６を有する乾燥ノズル２６先端を臨ませ運転ボタン３７を押すことによって空気噴射手段１８が駆動され、噴射孔３６から高圧空気が間欠的に噴射されされる。
【００１７】
その結果、使用者が任意な位置に乾燥ノズル２６を望ませることができるため、特に水滴除去が必要な肛門部および周囲の臀部に付着した水分を短時間で吹飛ばすことができ、乾燥を確実に行うと共に時間を大幅に短縮することができ、温風乾燥との併用により乾燥感を向上させることができる。また、騒音がうるさいピストンポンプのような加圧供給手段２１でもケース１９内に収納しているため、発生する騒音はケース１９の吸気口２０やケース１９を透過して一部外部へ放出されるが、ほとんどはケース１９で遮音されたりケース１９内部で反射を繰返して熱エネルギーへ変換されるため、加圧供給手段２１からの騒音を大幅に低減することができる。さらに、乾燥ノズル２６以外の空気噴射手段１８をすべてケース１９内に収めたため、無駄な接続空間等が不用でコンパクト化できトイレ空間１３にスッキリ設置することができる。
【００１８】
（実施の形態２）
図３は、本発明の第２の実施の形態の乾燥機能付き洗浄便座の概観図を示すものである。図３において実施の形態１と異なるところは、乾燥ノズル２６のみを洗浄便座本体１５内に設けて本体制御部３４の制御で駆動機構部３３により乾燥ノズル２６を駆動したことである。
【００１９】
以上のように、乾燥ノズル２６の駆動を本体制御部３４で行うことができるため、運転ボタン３７を入れるだけで便座に座った状態で一連の洗浄、乾燥動作として蓄圧間欠ブローによる乾燥を行うことができる。
【００２０】
（実施の形態３）
また、図４に示すようにケース１９内壁に吸音材を設けた吸音処理や二重壁の遮音構造さらに防振ゴム、バネ等による防振機構等から成る騒音低減手段３８を設けたことにより、加圧供給手段２１等から発生する騒音成分が透過する際やケース１９内部で繰返し反射する際の減衰率を大きくでき、また振動によるケース１９からの二次的騒音が抑制でき、外部へ放射される騒音がさらに低減され、快適なトイレ空間１３を保持することができる。
【００２１】
（実施の形態４）
図５は、本発明の第４の実施の形態の乾燥機能付き洗浄便座の概観図を示すものである。図５において実施の形態１〜３と異なるところは加圧供給手段２１と蓄圧手段２２と開
閉手段２３の少なくとも１つ以上を便器１２内に収納し、それ以外は洗浄便座本体１５内に設けたことである。
【００２２】
以上のように、空気噴射手段１８の内、騒音が最もうるさい加圧供給手段２１のみを便器１２内に収納して、残りの蓄圧手段２２と開閉手段２３と乾燥ノズル２６は洗浄便座本体１５内に収納しそれらを接続手段２４で連通する構成をとることによって、陶器等で形成される便器１２内部の空間が広いため加圧供給手段２１を洗浄便座本体１５内に設ける時程小さくする必要がなく例えば低速駆動のダイアフラムポンプ等が使用でき、また便器材質が高い遮音性能を有するため加圧供給手段２１からの騒音が大幅に低減される。
【００２３】
（実施の形態５）
図６は、本発明の第５の実施の形態の乾燥機能付き洗浄便座の要部断面図を示すものである。図６において実施の形態１〜４と異なるところは、加圧供給手段２１と蓄圧手段２２と開閉手段２３の少なくとも１つ以上を便座１６内に設けたことである。
【００２４】
以上のように、例えば便座１６を吸気口２０と洗浄ノズル２６への接続口３９以外を完全に密閉構造にして蓄圧手段２２として利用し、便座１６内部に加圧供給手段２１と開閉手段２３を設けることによって、大きな蓄圧容積が確保できると共に加圧供給手段２１と開閉手段２３が蓄圧手段２２に収納されるため、蓄圧手段２２前後の接続手段２４が不用となり、また加圧供給手段２１の吸気口２０のみが大気側に開口するだけで後は完全密閉遮音されるため、低騒音化を実現することができる。また加圧供給手段２１からの振動が便座１６を介して適度に臀部に伝わるためリラックス作用をもたらすことができる。
【００２５】
（実施の形態６）
図７は、本発明の第６の実施の形態の乾燥機能付き洗浄便座の要部断面図を示すものである。図７において実施の形態１〜５と異なるところは、加圧供給手段２１と蓄圧手段２２と開閉手段２３の少なくとも１つ以上を水タンク１４内に収納したことである。
【００２６】
以上のように、例えば防水構造にした蓄圧手段２２内に加圧供給手段２１と開閉手段２３を収納し、加圧供給手段２１の吸気口２０を大気に開口し開閉手段２３に連通する接続手段２４を洗浄便座本体１５内に設けた乾燥ノズル２６に連通したことによって、蓄圧手段２２を水タンク１４内の大きな空間に設置できるため大きな蓄圧容積が確保でき、また運転時は蓄圧手段２２と水タンクの２段構えの遮音構造で、さらに蓄圧手段２２を水中内に設置した場合は３段遮音構造となり蓄圧手段２２内より放射される騒音成分は吸気口２０からのみの音で、大きな騒音低減効果と、また蓄圧手段２２を水中に浮かす構成により防振効果も得ることができる。
【００２７】
（実施の形態７）
また図８は本発明の第７の実施の形態の乾燥機能付き洗浄便座の要部断面図を示すもので、空気噴射手段１８の吐出側に共鳴型のマフラーから成る消音手段４０を設けたことである。
【００２８】
空気噴射手段１８のうち最も騒音が大きい加圧供給手段２１の吸気側や吐出側に共鳴型マフラーや膨張型マフラー等の消音手段４０を設けることによって、吸気口２０から直接外へ放出される騒音を消音手段４０で一旦減衰させて放出すことができるため、より低騒音のトイレ空間１３を実現することができる。
【図面の簡単な説明】
【００２９】
【図１】本発明の実施の形態１における乾燥機能付き洗浄便座のトイレ空間設置状態を示す図
【図２】同実施の形態における要部断面図
【図３】本発明の実施の形態２における乾燥機能付き洗浄便座の概観図
【図４】本発明の実施の形態３における乾燥機能付き洗浄便座の要部断面図
【図５】本発明の実施の形態４における乾燥機能付き洗浄便座の概観図
【図６】本発明の実施の形態５における乾燥機能付き洗浄便座の要部断面図
【図７】本発明の実施の形態６における乾燥機能付き洗浄便座の要部断面図
【図８】本発明の実施の形態７における乾燥機能付き洗浄便座の要部断面図
【図９】従来の乾燥機能付き洗浄便座の構成図
【符号の説明】
【００３０】
１２  便器
１３  トイレ空間
１４  水タンク
１５  洗浄便座本体
１６  便座
１８  空気噴射手段
１９  ケース
２１  加圧供給手段
２２  蓄圧手段
２３  開閉手段
２４  接続手段
２５  制御部
２６  乾燥ノズル
３８  騒音低減手段
４０  消音手段
【図１】
2006316623.tif 000003
【図２】
2006316623.tif 000004
【図３】
2006316623.tif 000005
【図４】
2006316623.tif 000006
【図５】
2006316623.tif 000007
【図６】
2006316623.tif 000008
【図７】
2006316623.tif 000009
【図８】
2006316623.tif 000010
【図９】
2006316623.tif 000011